(57)【要約】【課題】要求される温度環境（最高到達温度、温度変化速度など）を満足しない場合にも、発電効率の向上を図ることができる発電システムを提供すること。【解決手段】  発電システム１は、エンジン１１と、排気管１７と、発電素子３を備える発電デバイス６と、温度予測デバイス７と、回避デバイス４０と、空気供給デバイス５０と、電圧印加装置９と、制御装置１０とを備える。制御装置１０は、温度予測デバイス７により予測された発電素子４の昇温速度および最高到達温度が、予め設定された所定条件Ａを満たすか否かに基づいて、回避デバイス４０、空気供給デバイス５０および電圧印加装置９の作動を制御する。【選択図】図１
2018007384.tif 000002
【特許請求の範囲】
【請求項１】
温度が経時的に上下する熱源と、
前記熱源により加熱される熱媒体が通過する流路と、
前記流路内に配置され、前記熱媒体の温度変化により温度が経時的に上下されることにより電気分極する発電素子を備える発電デバイスと、
前記流路内において、前記発電デバイスの上流側に配置され、前記発電素子の温度を予測するための温度予測手段と、
前記流路の前記発電デバイスおよび前記温度予測手段よりも上流側に接続され、熱媒体に前記発電デバイスおよび前記温度予測手段を回避させるための回避手段と、
前記流路の前記発電デバイスおよび前記温度予測手段よりも上流側、かつ、前記流路に対する前記回避手段の接続部よりも下流側に接続され、前記発電デバイスおよび前記温度予測手段に冷却媒体を供給するための冷却媒体供給手段と、
前記発電デバイスに電圧を印加する電圧印加手段と、
前記温度予測手段による温度予測に応じて、
前記回避手段、前記冷却媒体供給手段および前記電圧印加手段の作動を制御するための制御手段とを備えており、
前記制御手段は、
前記温度予測手段により予測された前記発電素子の昇温速度および最高到達温度が、予め設定された所定条件を満たす場合には、
前記発電素子の昇温中に前記電圧印加手段を作動させ、前記回避手段および前記冷却媒体供給手段を停止させ、
前記発電素子の降温中に前記電圧印加手段を停止させ、前記回避手段および前記冷却媒体供給手段を作動させ、
前記温度予測手段により予測された前記発電素子の昇温速度および最高到達温度が、予め設定された所定条件を満たさない場合には、
前記制御手段が、前記電圧印加手段を停止させ、前記回避手段および前記冷却媒体供給手段を作動させる
ことを特徴とする、発電システム。
【発明の詳細な説明】
【技術分野】
【０００１】
本発明は、発電システムに関する。
【背景技術】
【０００２】
従来、自動車エンジンなどの内燃機関や、ボイラー、空調設備などの熱交換器、発電機、モータなどの電動機関、照明などの発光装置などの各種エネルギー利用装置では、例えば、排熱、光などとして、多くの熱エネルギーが放出および損失されている。
【０００３】
近年、省エネルギー化の観点から、放出される熱エネルギーを回収し、エネルギー源として再利用することが要求されている。そのようなシステムとして、具体的には、例えば、温度が経時的に上下する熱源と、その熱源の温度変化に応じて電気分極する第１デバイス（誘電体など）と、第１デバイスから電力を取り出すため、第１デバイスを挟むように対向配置される第２デバイス（電極など）とを備える発電システムが提案されている。また、その発電システムを自動車などに積載すること、さらには、そのような場合に第１デバイス（誘電体など）を自動車の排気ガスが供給される排気管内に配置することが、提案されている（例えば、特許文献１参照。）。
【０００４】
さらに、このような発電システムにおいては、より効率的に発電するために、その第１デバイス（誘電体）の温度条件に応じて、第１デバイス（誘電体）に電圧を印加することが提案されている。
【０００５】
具体的には、例えば、温度が経時的に上下する熱源と、その熱源により加熱される熱媒体が通過する流路と、熱媒体の温度変化により温度が経時的に上下され、電気分極する発電素子を備える発電デバイスと、発電デバイスの上流側で熱媒体の温度を検知する温度検知手段と、発電デバイスに電圧を印加する電圧印加手段と、電圧印加手段を制御するための制御手段とを備える発電システムにおいて、温度検知素子による温度検知に応じて電圧印加手段を作動および停止させ、発電素子に電圧を印加することにより発電効率の向上を図る方法が、提案されている（例えば、特許文献２参照。）。
【先行技術文献】
【特許文献】
【０００６】
【特許文献１】特開２０１１−２５０６７５号公報
【特許文献２】特開２０１５−１０４１８１号公報
【発明の概要】
【発明が解決しようとする課題】
【０００７】
一方、このような発電システムでは、さらなる発電効率の向上のため、発電素子を、その種類およびサイズに応じた温度環境（最高到達温度、温度変化速度など）に曝露することが要求される。しかし、上記の発電システムでは、熱源の状態によっては、要求される温度環境（最高到達温度、温度変化速度など）を満足しない場合があり、発電効率が不十分となる場合がある。
【０００８】
本発明の目的は、要求される温度環境（最高到達温度、温度変化速度など）を満足しない場合にも、発電効率の向上を図ることができる発電システムを提供することにある。
【課題を解決するための手段】
【０００９】
本発明［１］は、温度が経時的に上下する熱源と、前記熱源により加熱される熱媒体が通過する流路と、前記流路内に配置され、前記熱媒体の温度変化により温度が経時的に上下されることにより電気分極する発電素子を備える発電デバイスと、前記流路内において、前記発電デバイスの上流側に配置され、前記発電素子の温度を予測するための温度予測手段と、前記流路の前記発電デバイスおよび前記温度予測手段よりも上流側に接続され、熱媒体に前記発電デバイスおよび前記温度予測手段を回避させるための回避手段と、前記流路の前記発電デバイスおよび前記温度予測手段よりも上流側、かつ、前記流路に対する前記回避手段の接続部よりも下流側に接続され、前記発電デバイスおよび前記温度予測手段に冷却媒体を供給するための冷却媒体供給手段と、前記発電デバイスに電圧を印加する電圧印加手段と、前記温度予測手段による温度予測に応じて、前記回避手段、前記冷却媒体供給手段および前記電圧印加手段の作動を制御するための制御手段とを備えており、前記制御手段は、前記温度予測手段により予測された前記発電素子の昇温速度および最高到達温度が、予め設定された所定条件を満たす場合には、前記発電素子の昇温中に前記電圧印加手段を作動させ、前記回避手段および前記冷却媒体供給手段を停止させ、前記発電素子の降温中に前記電圧印加手段を停止させ、前記回避手段および前記冷却媒体供給手段を作動させ、前記温度予測手段により予測された前記発電素子の昇温速度および最高到達温度が、予め設定された所定条件を満たさない場合には、前記制御手段が、前記電圧印加手段を停止させ、前記回避手段および前記冷却媒体供給手段を作動させる、発電システムを含んでいる。
【発明の効果】
【００１０】
本発明の発電システムでは、温度予測手段により発電素子の温度が予測され、その温度予測に応じて、回避手段、冷却媒体供給手段および電圧印加手段が制御され、発電素子に対する熱媒体の供給および供給停止、発電素子に対する冷却媒体の供給および供給停止が制御される。
【００１１】
より具体的には、まず、温度予測手段により発電素子の昇温速度および最高到達温度が予測され、その発電素子の昇温速度および最高到達温度が、予め設定された所定条件を満たす場合には、制御手段が、発電素子の昇温中に、電圧印加手段を作動させ、回避手段および冷却媒体供給手段を停止させる。また、発電素子の降温中に、電圧印加手段を停止させ、回避手段および冷却媒体供給手段を作動させる。一方、発電素子の昇温速度および最高到達温度が、予め設定された所定条件を満たさない場合には、制御手段が、電圧印加手段を停止させ、回避手段および冷却媒体供給手段を作動させる。
【００１２】
このような発電システムによれば、発電素子から効率的にエネルギーを取り出すことができ、発電効率の向上を図ることができる。
【図面の簡単な説明】
【００１３】
【図１】図１は、本発明の発電システムが車載された一実施形態を示す概略構成図である。
【図２】図２は、図１に示す発電システムの箱型収容ケースを表す概略構成図である。
【図３】図３は、図１に示す発電システムの制御方法の一実施形態を示すフロー図である。
【発明を実施するための形態】
【００１４】
１．自動車の構成
図１は、本発明の発電システムの一実施形態の概略構成図である。
【００１５】
図１において、自動車８は、動力システム２と、エネルギー回収システム２９とを備えている。
【００１６】
動力システム２は、温度が経時的に上下する熱源としてのエンジン１１、エンジン１１に空気を供給するための吸気管１６、エンジン１１により加熱される熱媒体としての排気ガスが通過する流路としての排気管１７、および、エンジン１１に燃料を供給するための燃料供給装置２０を備えている。
【００１７】
エンジン１１は、動力を発生する装置であって、例えば、単気筒型または多気筒型（例えば、２気筒型、４気筒型、６気筒型）が採用されるとともに、その各気筒において、多サイクル方式（例えば、２サイクル方式、４サイクル方式、６サイクル方式など）が採用される。
【００１８】
以下において、４気筒型が採用されるとともに、その各気筒で４サイクル方式が採用されるエンジン１１について、説明する。
【００１９】
このエンジン１１は、並列配置される複数（４つ）の気筒１２を備えている。なお、図１においては、１つの気筒１２を取り出して示し、その他の気筒１２については省略している。
【００２０】
各気筒１２は、ピストン１３、燃焼室１４および点火プラグ（図示せず）などを備えており、上流側が吸気管１６に接続されるとともに、下流側が排気管１７に接続されている。
【００２１】
また、各気筒１２は、吸気管１６と接続される接続部分において、吸気バルブ１８を備えるとともに、排気管１７と接続される接続部分において、排気バルブ１９を備えている。
【００２２】
吸気バルブ１８は、気筒１２と吸気管１６との接続部分において、気筒１２を開閉可能に設けられている。
【００２３】
排気バルブ１９は、気筒１２と排気管１７との接続部分において、気筒１２を開閉可能に設けられている。
【００２４】
これら吸気バルブ１８および排気バルブ１９は、図示しないが、スプリングなどの弾性力によって閉方向に付勢されている。これら吸気バルブ１８および排気バルブ１９は、例えば、カムシャフトの回転などによって、気筒１２を開閉可能としている。
【００２５】
吸気管１６は、エンジン１１に空気を供給するために設けられ、その下流側端部がエンジン１１の気筒１２に接続されるとともに、上流側端部が外気に開放されている。
【００２６】
また、吸気管１６は、スロットルバルブ２７を備えている。スロットルバルブ２７は、例えば、アクセルペダルの踏み込みなどの運転操作に伴い、その開閉および開度が調節可能とされており、その開閉によって、エンジン１１に空気を取り込み可能としている。
【００２７】
排気管１７は、エンジン１１から排気ガスを排出させるために設けられ、その上流側端部がエンジン１１の気筒１２に接続されている。
【００２８】
また、図示しないが、複数（４つ）の気筒１２に接続される複数（４つ）の排気管１７は、所定の箇所で１つに集合され、その集合された排気管１７の下流側には、触媒搭載部２４および箱型収容ケース５が介在されている。
【００２９】
触媒搭載部２４は、例えば、触媒担体およびその担体上にコーティングされる触媒を備えており、エンジン１１から排出される排気ガスに含まれる炭化水素（ＨＣ）、窒素酸化物（ＮＯｘ）、一酸化炭素（ＣＯ）などの有害成分を浄化するために、排気管１７における排気ガスの流れ方向途中部分に接続されている。
【００３０】
箱型収容ケース５は、排気管１７の触媒搭載部２４よりも下流側の流れ方向途中において、排気管１７に連通するように介装される略直方体状の収容ケースであって、その内部空間において排気ガスが通過する。
【００３１】
そして、箱型収容ケース５の下流側において、排気管１７の下流側端部は、外気に開放されている。これにより、エンジン１１から排出される排気ガスを、外気に放出可能としている。
【００３２】
燃料供給装置２０は、燃料タンク２１および燃料供給管２２を備えている。
【００３３】
燃料タンク２１は、エンジン１１に供給される燃料（例えば、ガソリンなど）が貯留されるタンクであって、耐熱耐圧容器などから形成されている。
【００３４】
燃料供給管２２は、燃料タンク２１からエンジン１１に燃料を供給するために設けられており、その上流側端部が燃料タンク２１に接続されるとともに、下流側端部が、燃料噴射弁２３に接続されている。
【００３５】
燃料噴射弁２３は、エンジン１１に対する燃料タンク２１からの燃料の供給量を調節するとともに、その燃料をエンジン１１に対して噴射するための弁であって、燃料供給管２２の下流側端部に設けられ、吸気管１６の吸気バルブ１８よりも上流側に接続されている。
【００３６】
燃料噴射弁２３としては、特に制限されず、公知の噴射弁を用いることができる。
【００３７】
このような燃料噴射弁２３は、エンジン１１のエンジン制御ユニット２８に電気的に接続されており、エンジン制御ユニット２８によって、その開閉が制御されている。
【００３８】
エンジン制御ユニット２８は、エンジン１１の運転状態（例えば、図示しない回転計により検知されるエンジン１１の回転数、例えば、図示しない圧力センサにより検知されるスロットルバルブ２７の下流側の吸気管１６内の圧力など）に基づいて燃料供給量を制御するユニットであって、ＣＰＵ、ＲＯＭおよびＲＡＭなどを備えるマイクロコンピュータから構成されている。
【００３９】
そして、このエンジン制御ユニット２８に燃料噴射弁２３が電気的に接続されることにより、エンジン制御ユニット２８からの制御信号が、燃料噴射弁２３に入力可能とされている。これにより、エンジン制御ユニット２８が、エンジン１１の運転状態に応じて、燃料噴射弁２３の開閉および開度、すなわち、燃料噴射弁２３による燃料の噴射量（エンジン１１に対する燃料の供給量）を制御可能としている。
【００４０】
エネルギー回収システム２９は、排気ガスの温度変化により温度が経時的に上下される発電素子３、および、発電素子３から電力を取り出すための第１電極４を備える発電デバイス６と、発電素子３の温度を予測するための温度予測手段としての温度予測デバイス７と、排気ガスに発電デバイス６および温度予測デバイス７を回避させるための回避手段としての回避デバイス４０と、発電デバイス６および温度予測デバイス７に冷却媒体としての空気を供給するための冷却媒体供給手段としての空気供給デバイス５０と、発電デバイス６に電圧を印加する電圧印加手段としての電圧印加装置９と、温度予測デバイス７による温度予測に応じて回避デバイス４０、空気供給デバイス５０および電圧印加装置９の作動を制御するための制御手段としての制御装置１０とを備えている。
【００４１】
発電デバイス６は、箱型収容ケース５内に配置されている。
【００４２】
発電素子３は、排気管１７内に配置されており、その排気管１７を通過する排気ガスの温度変化により温度が経時的に上下され、電気分極する素子である。
【００４３】
ここでいう電気分極とは、結晶の歪みにともなう正負イオンの変位により誘電分極し電位差が生じる現象、例えばピエゾ効果、および／または、温度変化により誘電率が変化し電位差が生じる現象、例えば焦電効果などのように、材料に起電力が発生する現象と定義する。
【００４４】
このような発電素子３として、具体的には、例えば、ピエゾ効果により電気分極する素子、焦電効果により電気分極する素子などが挙げられる。
【００４５】
ピエゾ効果は、応力または歪みが加えられたときに、その応力または歪みの大きさに応じて電気分極する効果（現象）である。
【００４６】
このようなピエゾ効果により電気分極する発電素子３としては、特に制限されず、公知のピエゾ素子（圧電素子）を用いることができる。
【００４７】
発電素子３としてピエゾ素子が用いられる場合には、ピエゾ素子は、例えば、その周囲が固定部材により固定され、排気ガスに接触（曝露）されるように、箱型収容ケース５内に配置される。
【００４８】
固定部材としては、特に制限されず、例えば、後述する第１電極４を用いることができる。
【００４９】
そして、このような場合には、ピエゾ素子は、排気ガスの経時的な温度変化により、加熱または冷却され、これにより、膨張または収縮する。
【００５０】
このとき、ピエゾ効果（圧電効果）、または、キュリー点付近での相変態により、電気分極する。これにより、詳しくは後述するが、第１電極４を介して、ピエゾ素子から電力が取り出される。
【００５１】
また、このようなピエゾ素子は、通常、加熱状態または冷却状態が維持され、その温度が一定（すなわち、体積一定）になると、電気分極が中和され、その後、冷却または加熱されることにより、再度、電気分極する。
【００５２】
そのため、後述するように排気ガスが経時的に温度変化し、高温状態と低温状態とが経時的に繰り返される場合などには、ピエゾ素子が経時的に繰り返し加熱および冷却されるため、ピエゾ素子の電気分極およびその中和が、経時的に繰り返される。
【００５３】
その結果、後述する第１電極４により、電力が、経時的に変動する波形（例えば、交流、脈流など）として取り出される。
【００５４】
焦電効果は、例えば、誘電体（絶縁体）などを加熱および冷却する時に、その温度変化に応じて誘電体が電気分極する効果（現象）であって、第１効果および第２効果を含んでいる。
【００５５】
第１効果は、誘電体の加熱時および冷却時において、その温度変化により自発分極し、誘電体の表面に、電荷を生じる効果とされている。
【００５６】
また、第２効果は、誘電体の加熱時および冷却時において、その温度変化により結晶構造に圧力変形が生じ、結晶構造に加えられる応力または歪みにより、圧電分極を生じる効果（ピエゾ効果、圧電効果）とされている。
【００５７】
このような焦電効果により電気分極する素子としては、特に制限されず、公知の焦電素子を用いることができる。
【００５８】
発電素子３として焦電素子が用いられる場合には、焦電素子は、排気ガスに接触（曝露）されるように、箱型収容ケース５内に配置される。
【００５９】
このような場合において、焦電素子は、排気ガスの経時的な温度変化により、加熱または冷却され、その焦電効果（第１効果および第２効果を含む）により、電気分極する。これにより、詳しくは後述するが、第１電極４を介して、焦電素子から電力が取り出される。
【００６０】
また、このような焦電素子は、通常、加熱状態または冷却状態が維持され、その温度が一定になると、電気分極が中和され、その後、冷却または加熱されることにより、再度、電気分極する。
【００６１】
そのため、後述するように排気ガスが経時的に温度変化し、高温状態と低温状態とが経時的に繰り返される場合などには、焦電素子が経時的に繰り返し加熱および冷却されるため、焦電素子の電気分極およびその中和が、経時的に繰り返される。
【００６２】
その結果、後述する第１電極４により、電力が、経時的に変動する波形（例えば、交流、脈流など）として取り出される。
【００６３】
このような発電素子３として、具体的には、上記したように、公知の焦電素子（例えば、ＢａＴｉＯ３、ＣａＴｉＯ３、（ＣａＢｉ）ＴｉＯ３、ＢａＮｄ２Ｔｉ５Ｏ１４、ＢａＳｍ２Ｔｉ４Ｏ１２、チタン酸ジルコン酸鉛（ＰＺＴ：Ｐｂ（Ｚｒ，Ｔｉ）Ｏ３）など）、公知のピエゾ素子（例えば、水晶（ＳｉＯ２）、酸化亜鉛（ＺｎＯ）、ロッシェル塩（酒石酸カリウム−ナトリウム）（ＫＮａＣ４Ｈ４Ｏ６）、チタン酸ジルコン酸鉛（ＰＺＴ：Ｐｂ（Ｚｒ，Ｔｉ）Ｏ３）、ニオブ酸リチウム（ＬｉＮｂＯ３）、タンタル酸リチウム（ＬｉＴａＯ３）、リチウムテトラボレート（Ｌｉ２Ｂ４Ｏ７）、ランガサイト（Ｌａ３Ｇａ５ＳｉＯ１４）、窒化アルミニウム（ＡｌＮ）、電気石（トルマリン）、ポリフッ化ビニリデン（ＰＶＤＦ）など）、Ｃａ３（ＶＯ４）２、Ｃａ３（ＶＯ４）２／Ｎｉ、ＬｉＮｂＯ３、ＬｉＮｂＯ３／Ｎｉ、ＬｉＴａＯ３、ＬｉＴａＯ３／Ｎｉ、Ｌｉ（Ｎｂ０．４Ｔａ０．６）Ｏ３、Ｌｉ（Ｎｂ０．４Ｔａ０．６）Ｏ３／Ｎｉ、Ｃａ３｛（Ｎｂ，Ｔａ）Ｏ４｝２、Ｃａ３｛（Ｎｂ，Ｔａ）Ｏ４｝２／Ｎｉなどを用いることができる。
【００６４】
また、発電素子３としては、さらに、ＬａＮｂＯ３、ＬｉＮｂＯ３、ＫＮｂＯ３、ＭｇＮｂＯ３、ＣａＮｂＯ３、（Ｋ１／２Ｎａ１／２）ＮｂＯ３、（Ｋ１／２Ｎａ１／２）ＮｂＯ３／Ｎｉ、（Ｂｉ１／２Ｋ１／４Ｎａ１／４）ＮｂＯ３、（Ｓｒ１／１００（Ｋ１／２Ｎａ１／２）９９／１００）ＮｂＯ３、（Ｂａ１／１００（Ｋ１／２Ｎａ１／２）９９／１００）ＮｂＯ３、（Ｌｉ１／１０（Ｋ１／２Ｎａ１／２）９／１０）ＮｂＯ３、Ｓｒ２ＮａＮｂ５Ｏ１５、Ｓｒ１９／１０Ｃａ１／１０ＮａＮｂ５Ｏ１５、Ｓｒ１９／１０Ｃａ１／１０ＮａＮｂ５Ｏ１５／Ｎｉ、Ｂａ２ＮａＮｂＯ１５、Ｂａ２Ｎｂ２Ｏ６、Ｂａ２ＮａＮｂＯ１５／Ｎｉ、Ｂａ２Ｎｂ２Ｏ６／Ｎｉなどの誘電体や、例えば、Ｐｂ（Ｍｇ１／３Ｎｂ２／３）Ｏ３、Ｐｂ（Ｚｎ１／３Ｎｂ２／３）Ｏ３、Ｐｂ（Ｍｇ１／３Ｔａ２／３）Ｏ３、Ｐｂ（Ｙｂ１／２Ｎｂ１／２）Ｏ３、Ｐｂ（Ｙｂ１／２Ｔａ１／２）Ｏ３、Ｐｂ（Ｉｎ１／２Ｎｂ１／２）Ｏ３、Ｐｂ（Ｓｃ１／２Ｎｂ１／２）Ｏ３、Ｐｂ（Ｓｃ１／２Ｔａ１／２）Ｏ３、ＰｂＴｉＯ３などのリラクサーペロブスカイト型結晶構造の誘電体などを用いることもできる。
【００６５】
これら発電素子３は、単独使用または２種類以上併用することができる。
【００６６】
発電素子３のキュリー点は、例えば、−７７℃以上、好ましくは、−１０℃以上であり、例えば、１３００℃以下、好ましくは、９００℃以下である。
【００６７】
また、発電素子３（誘電体（絶縁体））の比誘電率は、例えば、１以上、好ましくは、１００以上、より好ましくは、２０００以上である。
【００６８】
このような発電システム１では、発電素子３（誘電体（絶縁体））の比誘電率が高いほど、エネルギー変換効率が高く、高電圧で電力を取り出すことができるが、発電素子３の比誘電率が上記下限未満であれば、エネルギー変換効率が低く、得られる電力の電圧が低くなる場合がある。
【００６９】
なお、発電素子３（誘電体（絶縁体））は、排気ガスの温度変化によって電気分極するが、その電気分極は、電子分極、イオン分極および配向分極のいずれでもよい。
【００７０】
例えば、配向分極によって分極が発現する材料（例えば、液晶材料など）では、その分子構造を変化させることにより、発電効率の向上を図ることができるものと期待されている。
【００７１】
このような発電素子３は、箱型収容ケース５内において、例えば、図２に示すように、互いに間隔を隔てて複数整列配置され、後述する第１電極４（および必要により設けられる固定部材）（図示せず）により、固定されている。
【００７２】
また、複数の発電素子３は、それぞれ、箱型収容ケース５内において、長手方向が排気ガスの流れ方向に沿うように配置されており、各発電素子３は、直接または第１電極４（後述）を介して、排気ガスに接触（曝露）可能とされている。
【００７３】
なお、図１においては、１つの発電素子３（発電デバイス６）を取り出して示し、その他の発電素子３（発電デバイス６）については省略している。
【００７４】
第１電極４は、発電素子３から電力を取り出すために設けられる。
【００７５】
このような第１電極４は、具体的には、特に制限されないが、例えば、上記の発電素子３を挟んで対向配置される２つの電極（例えば、銅電極、銀電極など）、例えば、それら電極に接続される導線などを備えており、発電素子３に電気的に接続されている。
【００７６】
温度予測デバイス７は、排気管１７内において、発電デバイス６の設置される箱型収容ケース５の上流側に配置され、図示しないフレームを介して排気管１７内の中央付近において支持されている。
【００７７】
より具体的には、温度予測デバイス７は、温度検知素子３５と第２電極３６とを備えている。
【００７８】
温度検知素子３５は、排気管１７内に配置されており、エンジン１１から排出され、温度が経時的に上下する排気ガスが供給されることにより、温度が経時的に上下され、それによって電気分極する素子である。つまり、温度検知素子３５は、上記した素子（例えば、ピエゾ素子、焦電素子など）である。
【００７９】
温度検知素子３５としてピエゾ素子が用いられる場合には、ピエゾ素子は、例えば、その周囲が固定部材により固定され、排気ガスに接触（曝露）されるように、排気管１７内に配置される。
【００８０】
固定部材としては、特に制限されず、例えば、後述する第２電極３６を用いることができる。
【００８１】
そして、このような場合には、ピエゾ素子は、排気ガスの経時的な温度変化により、加熱または冷却され、これにより、膨張または収縮する。
【００８２】
このとき、ピエゾ効果（圧電効果）、または、キュリー点付近での相変態により、電気分極する。これにより、詳しくは後述するが、第２電極３６を介して、ピエゾ素子から起電力が検出される。
【００８３】
また、温度検知素子３５として焦電素子が用いられる場合には、焦電素子は、排気ガスに接触（曝露）されるように、排気管１７内に配置される。
【００８４】
このような場合において、焦電素子は、排気ガスの経時的な温度変化により、加熱または冷却され、その焦電効果（第１効果および第２効果を含む）により、電気分極する。これにより、詳しくは後述するが、第２電極３６を介して、焦電素子から起電力が検出される。
【００８５】
温度検知素子３５から、第２電極３６により検出される起電力は、上記発電素子３から第１電極４により取り出される電力と同様に、経時的に変動する波形（例えば、交流、脈流など）として検出される。
【００８６】
これら温度検知素子３５は、単独使用または２種類以上併用することができる。
【００８７】
温度検知素子３５としては、上記した発電素子３を構成する誘電体として例示されたものが挙げられ、好ましくは、温度検知素子３５を構成する誘電体と、発電素子３を構成する誘電体とは同一種類である。
【００８８】
温度検知素子３５と発電素子３とが同一種類であれば、発電素子３の温度変化を、より正確に予測することができる。
【００８９】
すなわち、詳しくは後述するが、温度検知素子３５と発電素子３とは、同じ排気管１７内に配置され、同じ排気ガスに曝露される。
【００９０】
そのため、比較的上流側に配置される温度検知素子３５が、排気ガスに曝露され、温度が変化する場合、所定時間が経過した後に、その下流側に配置される発電素子３も、同様の排気ガスに曝露され、温度検知素子３５と同様の温度変化が生じると予測される。
【００９１】
このような温度予測では、温度検知素子３５と発電素子３とが同一種類であれば、発電素子３の温度変化をより正確に予測することができる。
【００９２】
なお、温度検知素子３５と発電素子３とが同一種類でなくとも、それらの相関関係を予め測定することにより、温度検知素子３５の温度状態から、発電素子３の温度状態を予測することもできる。
【００９３】
なお、温度検知素子３５と、発電素子３との距離は特に制限されず、上記の温度予測が可能となるように、適宜設定される。
【００９４】
第２電極３６は、詳しくは後述するが、温度検知素子３５から起電力を検出することにより、温度検知素子３５の温度を検知するために設けられる。
【００９５】
このような第２電極３６は、具体的には、温度検知素子３５から起電力を検出できれば、特に制限されないが、例えば、上記の温度検知素子３５を挟んで対向配置される２つの電極（例えば、銅電極、銀電極など）、例えば、それら電極に接続される導線などを備えている。具体的には、導線の一方側が、電極を介して温度検知素子３５に電気的に接続され、他方側が制御装置１０（後述）に電気的に接続されている。
【００９６】
回避デバイス４０は、排気ガスの通過する経路を変更し、排気ガスに発電デバイス６および温度予測デバイス７を回避させるために設けられている。
【００９７】
このような回避デバイス４０は、発電デバイス６および温度予測デバイス７よりも上流側において、排気管１７に接続されている。
【００９８】
より具体的には、回避デバイス４０は、排気管１７から分岐する回避管４１と、その回避管４１の分岐部分に介在される三方弁４２とを備えている。
【００９９】
回避管４１は、排気ガスと発電デバイス６および温度予測デバイス７とが接触しないように、排気ガスを排出させるために設けられており、その上流側端部が排気管１７の流れ方向途中部分に接続されている。また、下流側端部が、外気に開放されている。これにより、エンジン１１から排出される排気ガスを、外気に放出可能としている。
【０１００】
三方弁４２は、公知の三方弁であって、排気管１７に対する回避管４１の接続部分に設けられている。これにより、三方弁４２は、エンジン１１において生じた排気ガスの流れる経路を、発電デバイス６および温度予測デバイス７と接触する方向（排気管１７の下流側）、または、発電デバイス６および温度予測デバイス７を回避する方向（すなわち、回避管４１）に、切り替え可能としている。
【０１０１】
なお、以下において、三方弁４２が排気管１７を開放し、回避管４１を閉塞した状態を、三方弁４２のＡ状態とする。また、三方弁４２が排気管１７を閉塞し、回避管４１を開放した状態を、三方弁４２のＢ状態とする。
【０１０２】
また、三方弁４２は、後述する制御装置１０に電気的に接続されており、制御装置１０によって、経路の切り替えの方向およびタイミングが制御されている。
【０１０３】
空気供給デバイス５０は、発電デバイス６および温度予測デバイス７に冷却媒体としての空気を供給し、発電デバイス６および温度予測デバイス７を冷却するために設けられている。
【０１０４】
このような空気供給デバイス５０は、排気管１７の発電デバイス６および温度予測デバイス７よりも上流側、かつ、排気管１７に対する回避管４１の接続部よりも下流側に接続されている。
【０１０５】
より具体的には、空気供給デバイス５０は、排気管１７から分岐する空気供給管５１と、その空気供給管５１の流れ方向途中に介在される空気供給弁５３および空気供給機５２とを備えている。
【０１０６】
空気供給管５１は、上流側端部が大気中に開放され、下流側端部が排気管１７の発電デバイス６および温度予測デバイス７よりも上流側、かつ、排気管１７に対する回避管４１の接続部よりも下流側に接続されている。
【０１０７】
空気供給弁５３は、空気供給管５１を開閉するための弁であって、例えば、電磁弁など、公知の開閉弁が用いられる。また、図示しないが、空気供給弁５３は、制御装置１０に電気的に接続されており、制御装置１０によって、その開閉が制御されている。
【０１０８】
空気供給機５２は、空気供給弁５３が開放状態のときに空気供給管５１に空気を供給するための送気ポンプであり、空気供給弁５３よりも上流側に備えられている。また、図示しないが、空気供給機５２は、制御装置１０に電気的に接続されており、制御装置１０によって、その駆動および停止が制御されている。
【０１０９】
なお、図示しないが、空気供給デバイス５０において、空気供給管５１の下流側端部は、吸気管１６の流れ方向途中に接続されていてもよく、また、そのような場合には、エンジン１１に空気を導入するためのターボチャージャー、スーパーチャージャーなどを空気供給機５２として採用することもできる。
【０１１０】
電圧印加装置９は、発電素子３（発電デバイス６）に電圧を印加するため、発電素子３（発電デバイス６）に直接または近接して設けられる。具体的には、電圧印加装置９は、例えば、上記した第１電極４とは別途、上記の発電素子３および第１電極４を挟んで対向配置される２つの電圧印加電極３７（例えば、銅電極、銀電極など）、電圧印加電源Ｖ、およびそれらに接続される導線などを備えており、電圧印加電極３７間に発電素子３および第１電極４を介在させるように、配置されている。
【０１１１】
制御装置１０は、発電システム１における電気的な制御を実行するユニット（例えば、ＥＣＵ：Ｅｌｅｃｔｒｏｎｉｃ  Ｃｏｎｔｒｏｌ  Ｕｎｉｔ）であり、ＣＰＵ、ＲＯＭおよびＲＡＭなどを備えるマイクロコンピュータで構成されている。
【０１１２】
この制御装置１０は、温度予測デバイス７および電圧印加装置９に電気的に接続されており、上記した温度予測デバイス７による予測温度に応じて、電圧印加装置９を作動または停止させるために、設備されている。
【０１１３】
より具体的には、制御装置１０には、温度検知素子３５に供給される排気ガスの温度と、温度検知素子３５の温度と、温度検知素子３５において生じる起電力との関係を示すマッピングデータが、格納されている。
【０１１４】
すなわち、上記した温度検知素子３５は、温度が経時的に上下する排気ガスが供給されることにより、温度が経時的に上下され、それによって電気分極し、起電力を生じさせる。このとき、排気ガスの温度と、温度検知素子３５の温度との間には、相関がある。また、温度検知素子３５の温度と、温度検知素子３５において生じる起電力との間にも、相関がある。このような相関関係に基づいて、温度検知素子３５に供給される排気ガスの温度と、温度検知素子３５の温度と、温度検知素子３５において生じる起電力との関係が、予めマッピングされ、そのマッピングデータが、制御装置１０に格納される。
【０１１５】
そして、制御装置１０は、上記のマッピングデータに基づいて、温度検知素子３５において生じる起電力から、温度検知素子３５の温度、および、温度検知素子３５に供給される排気ガスの温度を、算出可能としている。
【０１１６】
さらに、制御装置１０は、排気ガスの予測温度、自動車８の車速、アクセル開度、エンジン１１の回転数、吸気系における吸気圧および吸入空気量、燃料流量、さらには、空燃比（吸入空気量／燃料流量）などから、排気ガスの将来的な温度変化を予測することができる。さらに、そのような排気ガスに曝露された温度検知素子３５の温度変化（すなわち、温度検知素子３５の将来的な温度変化）を予測することもできる。
【０１１７】
その結果、制御装置１０では、温度検知素子３５の昇温速度および最高到達温度が予測可能とされる。
【０１１８】
また、発電システム１では、温度検知素子３５の温度変化と、発電素子３の温度変化とには、相関がある。このような相関関係に基づいて、温度検知素子３５の温度変化と、発電素子３の温度変化との関係が、予めマッピングされ、そのマッピングデータが、制御装置１０に格納される。
【０１１９】
そのため、制御装置１０では、温度検知素子３５の昇温速度および最高到達温度に基づいて、発電素子３の昇温速度および最高到達温度が、予測可能とされる。
【０１２０】
また、制御装置１０は、電圧印加装置９に電気的に接続されており、上記した温度検知素子３５および発電素子３の予測温度に基づいて、電圧印加装置９の作動および停止を、制御可能としている。
【０１２１】
また、制御装置１０は、回避デバイス４０の三方弁４２に電気的に接続されており、詳しくは後述するが、上記した温度検知素子３５および発電素子３の予測温度に基づいて、三方弁４２を切り替え、回避デバイス４０を作動および停止可能としている。
【０１２２】
また、制御装置１０は、空気供給デバイス５０の空気供給弁５３に電気的に接続されており、詳しくは後述するが、上記した温度検知素子３５および発電素子３の予測温度に基づいて、空気供給弁５３を開閉し、空気供給デバイス５０を作動および停止可能としている。
【０１２３】
また、エネルギー回収システム２９は、さらに、昇圧器３０、交流／直流変換器３１（ＡＣ−ＤＣコンバーター）およびバッテリー３２を備えている。
【０１２４】
昇圧器３０、交流／直流変換器３１およびバッテリー３２は、第１電極４に電気的に接続されている。
【０１２５】
そして、動力システム２およびエネルギー回収システム２９のうち、エンジン１１と、排気管１７と、発電デバイス６と、温度予測デバイス７と、回避デバイス４０と、空気供給デバイス５０と、電圧印加装置９と、制御装置１０とから、発電システム１が構成されている。
２．発電方法
以下において、上記した発電システム１を用いた発電方法について、図１を参照して詳述する。
【０１２６】
この発電システム１では、エンジン１１の駆動により、気筒１２においてピストンの昇降運動が繰り返されており、これにより、例えば、４サイクル方式では、吸気工程、圧縮工程、爆発工程、排気工程などが順次実施される。
【０１２７】
より具体的には、このエンジン１１では、まず、スロットルバルブ２７が開かれ、吸気管１６から空気が供給されるとともに、燃料供給管２２から所定量の燃料が燃料噴射弁２３によって供給（噴射）され、それらが混合される。そして、空気と燃料との混合気が、吸気バルブ１８が開かれることにより、気筒１２の燃焼室１４に供給される（吸気工程）。
【０１２８】
次いで、吸気バルブ１８が閉じられ、ピストン１３が上昇することにより、燃焼室１４の混合気が圧縮され、高温化される（圧縮工程）。
【０１２９】
次いで、図示しない点火プラグにより混合気が点火され、爆発的に燃焼されるとともに、ピストン１３が爆発により押し下げられる（爆発工程）。
【０１３０】
その後、排気バルブ１９が開かれ、燃焼により生じたガス（排気ガス）が、気筒１２から排出される（排気工程）。
【０１３１】
このように、エンジン１１では、燃料が燃焼され、動力が出力されるとともに、高温の排気ガスが、排気管１７に排気される。
【０１３２】
そして、各気筒１２において生じた排気ガスは、各気筒１２に接続される排気管１７内を通過しながら、所定の箇所で１つに集合された後、触媒搭載部２４を通過するとともに触媒により浄化され、温度予測デバイス７に接触した後、箱型収容ケース５を介して外気に開放される。
【０１３３】
そして、このようなエンジン１１、および、そのエンジン１１から排出される排気ガスの温度は、例えば、自動車８の運転状態（エンジン１１の駆動状態）などに応じて、経時的に上下する。
【０１３４】
具体的には、自動車８では、エンジン１１の駆動および停止が経時的に繰り返され、これにより、自動車８の走行および停止が制御される。
【０１３５】
このような場合、エンジン１１の駆動時には、エンジン１１の温度は高温状態とされ、また、エンジン１１の停止時には、エンジン１１の温度は低温状態とされる。
【０１３６】
また、エンジン１１の温度は、例えば、自動車８の走行時における負荷（車両重量、路面の傾斜度合など）や、車速、アクセル開度、エンジン１１の回転数、吸気系における吸気圧および吸入空気量、燃料流量、さらには、空燃比（吸入空気量／燃料流量）などによっても変化し、経時的に上下する。
【０１３７】
このとき、エンジン１１の熱が排気ガスを介して伝達されるため、排気ガスの温度（排気管１７および箱型収容ケース５の内部温度）は、エンジン１１の状態に応じて、経時的に上下する。
【０１３８】
このような発電システム１において、エンジン１１および排気ガスの温度は、高温状態における温度が、例えば、２００〜１２００℃、好ましくは、７００〜９００℃であり、低温状態における温度が、上記の高温状態における温度未満、より具体的には、例えば、１００〜８００℃、好ましくは、２００〜５００℃であり、高温状態と低温状態との温度差が、例えば、１０〜６００℃、好ましくは、２０〜５００℃である。
【０１３９】
そして、この発電システム１では、上記したように、箱型収容ケース５内において、発電素子３が配置されている。
【０１４０】
そのため、上記の発電システム１では、排気ガスが箱型収容ケース５に到達すると、エンジン１１の熱エネルギーが、排気ガスを介して、発電素子３に伝達され、発電素子３が加熱および／または冷却される。
【０１４１】
すなわち、発電素子３が、エンジン１１、および、そのエンジン１１の熱を伝達する排気ガスの経時的な温度変化により、加熱および／または冷却される。
【０１４２】
そして、これにより、発電素子３を、経時的に高温状態または低温状態にすることができ、発電素子３を、その素子（例えば、ピエゾ素子、焦電素子など）に応じた効果（例えば、ピエゾ効果、焦電効果など）により、電気分極させることができる。
【０１４３】
そのため、この発電システム１では、第１電極４を介して、各発電素子３から電力を経時的に変動する波形（例えば、交流、脈流など）として、取り出すことができる。
【０１４４】
３．制御フロー
このような発電システム１では、より効率的に発電するため、発電素子３の温度状態に応じて、発電素子３に電圧を印加することが要求される。より具体的には、昇温中の発電素子３に対して電圧を印加し、また、降温中の発電素子３に対しては電圧の印加を停止することが要求される。
【０１４５】
さらに、このような発電システム１では、発電効率の向上のため、発電素子３を、その種類およびサイズに応じた温度環境（最高到達温度、温度変化速度など）に曝露することが要求される。
【０１４６】
しかし、上記の発電システム１では、エンジン１１の運転状態などによっては、要求される温度環境（最高到達温度、温度変化速度など）を満足しない場合があり、発電効率が不十分となる場合がある。
【０１４７】
そこで、この発電システム１では、図３に示す制御フローに従って、発電素子３が要求される温度環境（最高到達温度、温度変化速度など）を満足する場合に、発電素子３に対して電圧を印加して、発電素子３による発電を実施する。
【０１４８】
また、発電素子３が要求される温度環境（最高到達温度、温度変化速度など）を満足しない場合には、発電素子３による発電を停止し、発電素子３を冷却することにより、発電効率の向上を図る。
【０１４９】
具体的には、この制御は、エンジン１１の駆動開始とともに実行される（スタート）。
【０１５０】
この制御方法では、まず、制御装置１０により、三方弁４２がＡ状態に制御され、これにより、排気管１７が開放され、回避管４１が閉塞される。すなわち、回避デバイス４０が停止され、エンジン１１から生じた排気ガスが箱型収容ケース５に供給されるように、排気経路が設定される。また、このとき、制御装置１０により、空気供給弁５３は閉塞状態とされ、空気供給デバイス５０による空気の供給は停止される（ステップＳ１）。
【０１５１】
次いで、この制御方法では、温度検知素子３５の昇温速度および最高到達温度が予測され、その結果から、発電素子３の昇温速度および最高到達温度が予測される（ステップＳ２）。
【０１５２】
すなわち、この発電システム１では、発電素子３よりも上流側に、温度検知素子３５が配置されている。そのため、エンジン１１から排出される排気ガスは、発電素子３に接触する前に、温度検知素子３５に接触する。
【０１５３】
これにより、まず、エンジン１１の熱エネルギーが、排気ガスを介して、温度検知素子３５に伝達され、温度検知素子３５が加熱および／または冷却される。すなわち、温度検知素子３５が、エンジン１１、および、そのエンジン１１の熱を伝達する排気ガスの経時的な温度変化により、加熱および／または冷却される。
【０１５４】
そのため、発電素子３が温度変化するより先に、温度検知素子３５を温度変化させることができ、温度検知素子３５を、その素子（例えば、ピエゾ素子、焦電素子など）に応じた効果（例えば、ピエゾ効果、焦電効果など）により、電気分極させることができる。
【０１５５】
そして、温度検知素子３５において生じた起電力を、第２電極３６を介して検出することができる。温度検知素子３５から検出された起電力は、電気信号として、制御装置１０に伝達される。このとき、制御装置１０には、上記したように、温度検知素子３５に供給される排気ガスの温度と、温度検知素子３５の温度と、温度検知素子３５において生じる起電力との関係を示すマッピングデータが、格納されている。そのため、上記マッピングデータを参照することにより、温度検知素子３５の起電力から、温度検知素子３５の温度、および、排気ガスの温度が予測（算出）される。
【０１５６】
さらに、制御装置１０は、自動車８の車速、アクセル開度、エンジン１１の回転数、吸気系における吸気圧および吸入空気量、燃料流量、さらには、空燃比（吸入空気量／燃料流量）などから、排気ガスの将来的な温度変化を予測し、さらに、そのような排気ガスに曝露された温度検知素子３５の将来的な温度変化を予測する。
【０１５７】
このようにして、昇温される温度検知素子３５の、昇温速度および最高到達温度が予測される。
【０１５８】
また、制御装置１０には、温度検知素子３５の温度変化と、発電素子３の温度変化との関係を示すマッピングデータが、格納されている。そのため、上記マッピングデータを参照することにより、温度検知素子３５の昇温速度および最高到達温度から、発電素子３の昇温速度および最高到達温度が、予測される。
【０１５９】
より具体的には、通常、比較的下流側に配置される発電素子３は、比較的上流側に配置される温度検知素子３５に対して、わずかに温度変化のタイミングが遅くなる。
【０１６０】
そのため、例えば、温度検知素子３５と発電素子３とが同一種類であれば、発電素子３は、温度検知素子３５の温度変化に追従するように温度変化し、温度検知素子３５の昇温速度および最高到達温度と、発電素子３の昇温速度および最高到達温度とが、略同一であると予測される。
【０１６１】
なお、温度検知素子３５と発電素子３とが同一種類でない場合には、温度検知素子３５の昇温速度および最高到達温度と、発電素子３の昇温速度および最高到達温度とが異なる場合があるが、それらの相関関係を予め測定することにより、温度検知素子３５の昇温速度および最高到達温度から、発電素子３の昇温速度および最高到達温度を予測することができる。
【０１６２】
次いで、この制御では、発電素子３の昇温速度および最高到達温度が、予め設定された所定条件を満たすか否かが判断される（ステップＳ３）。
【０１６３】
具体的には、上記したように、この発電システム１では、発電効率の向上を図る観点から、発電素子３を、その種類およびサイズに応じた温度環境（昇温速度および最高到達温度）に曝露することが要求される。
【０１６４】
そこで、この制御では、発電効率に優れる温度環境（昇温速度および最高到達温度）が予め設定され、その温度環境（昇温速度および最高到達温度）に発電素子３が曝露されるか否かが判断される。
【０１６５】
このような場合の条件（昇温速度および最高到達温度）は、発電素子３の種類およびサイズに応じて適宜設定されるが、例えば、以下の条件Ａなどが採用される。
【０１６６】
＜条件Ａ＞  最高到達温度がＸ℃以上であり、かつ、昇温速度がＹ℃／ｓ以上である。
【０１６７】
上記条件Ａにおいて、Ｘ℃としては、例えば、１３０〜２００℃などの範囲から任意の一点（例えば、１５０℃）が選択される。
【０１６８】
また、上記条件Ａにおいて、Ｙ℃／ｓとしては、例えば、２℃／ｓ〜１０℃／ｓなどの範囲から任意の一点（例えば、３℃／ｓ）が選択される。
【０１６９】
そして、発電素子３が、予め設定された条件Ａを満たす場合（ステップＳ３：ＹＥＳ）には、発電素子３による発電が開始される（ステップＳ４）。
【０１７０】
発電素子３による発電では、具体的には、まず、発電素子３が昇温開始したか否かが判断される（ステップＳ５）。
【０１７１】
すなわち、通常、比較的下流側に配置される発電素子３は、比較的上流側に配置される温度検知素子３５に対して、わずかに温度変化のタイミングが遅くなる。
【０１７２】
そのため、上記のように温度検知素子３５の昇温に基づいて発電素子３の昇温が予測された場合、実際に発電素子３が昇温開始するまで、上記の状態で待機する（ステップＳ５：ＮＯ）。
【０１７３】
なお、発電素子３の昇温開始は、例えば、温度センサ（図示せず）を用いて発電素子３の温度を実際に計測することにより判断してもよく、上記の温度変化の予測に基づいて、発電素子３の昇温開始のタイミングを判断してもよい。
【０１７４】
そして、発電素子３が昇温開始したと判断される場合（ステップＳ５：ＹＥＳ）には、電圧印加装置９が作動される。これにより、昇温中の発電素子３に電圧が印加される（ステップＳ６）。
【０１７５】
なお、このとき、制御装置１０により、三方弁４２のＡ状態が維持され、回避管４１の閉塞状態（すなわち、回避デバイス４０の停止状態）が維持される。また、制御装置１０により、空気供給弁５３の閉塞状態（すなわち、空気供給デバイス５０の停止状態）が維持される。
【０１７６】
次いで、この方法では、温度検知素子３５が降温開始したか否かが判断される（ステップＳ７）。
【０１７７】
すなわち、上記したように、この発電システム１では、発電素子３よりも上流側に、温度検知素子３５が配置されるため、エンジン１１の運転状態などにより排気ガスが降温すると、その降温した排気ガスが、発電素子３に接触するより先に、温度検知素子３５に接触する。その結果、発電素子３が降温開始するより先に、温度検知素子３５が降温開始する。
【０１７８】
そこで、この制御では、温度検知素子３５が降温開始したか否かが判断され、温度検知素子３５が降温開始するまで、上記の状態で待機する（ステップＳ７：ＮＯ）。
【０１７９】
なお、温度検知素子３５の降温開始は、上記と同様に、温度検知素子３５の起電力などを検知することによって、判定される。
【０１８０】
そして、温度検知素子３５が降温開始したと判断される場合（ステップＳ７：ＹＥＳ）、制御装置１０により、三方弁４２がＢ状態に切り替えられ、これにより、排気管１７が閉塞され、回避管４１が開放される。すなわち、回避デバイス４０が作動され、エンジン１１から生じた排気ガスが、温度検知素子３５および発電素子３を回避して、回避管４１を介して大気開放されるように、排気経路が設定される。また、このとき、制御装置１０により、空気供給弁５３は開放状態とされ、さらに、空気供給機５２が駆動されて、空気供給デバイス５０が作動される（ステップＳ８）。
【０１８１】
これにより、排気経路が変更され、エンジン１１から生じた排気ガスは、排気管１７の箱型収容ケース５に到達することなく、発電素子３および温度検知素子３５を回避するように、回避管４１に供給され、大気開放される。
【０１８２】
そして、空気供給デバイス５０が作動されることにより、排気管１７には、排気ガスに代わって空気が供給される。その結果、発電素子３および温度検知素子３５が、排気ガスに比べて低温の空気に曝露可能とされ、冷却可能とされる。
【０１８３】
そして、この方法では、発電素子３が降温開始したか否かが判断される（ステップＳ９）。
【０１８４】
すなわち、上記のように排気経路が変更され、空気の供給が開始された後、実際に発電素子３が降温開始するまで、上記の状態で待機する（ステップＳ９：ＮＯ）。
【０１８５】
なお、発電素子３の降温開始は、例えば、温度センサ（図示せず）を用いて発電素子３の温度を実際に計測することにより判断してもよく、上記の温度変化の予測に基づいて、発電素子３の降温開始のタイミングを判断してもよい。
【０１８６】
そして、発電素子３が降温開始したと判断される場合（ステップＳ９：ＹＥＳ）には、電圧印加装置９が停止され、降温中の発電素子３に対する電圧の印加が停止される（ステップＳ１０）。
【０１８７】
なお、このとき、制御装置１０により、三方弁４２のＢ状態が維持され、回避管４１の開放状態（すなわち、回避デバイス４０の作動状態）が維持される。また、制御装置１０により、空気供給弁５３の開放状態および空気供給機５２の駆動状態（すなわち、空気供給デバイス５０の作動状態）が維持される。
【０１８８】
次いで、この方法では、発電素子３の温度が上記と同様に予測され、発電素子３が、予め設定された目標温度まで降温したか否かが判断される（ステップＳ１１）。
【０１８９】
具体的には、まず、温度検知素子３５の温度状態が、上記と同様にして予測され、その温度検知素子３５の温度状態に基づいて、発電素子３の温度状態が予測される。
【０１９０】
そして、この制御では、発電素子３が目標温度に降温するまで、上記の状態で待機する（ステップＳ１１：ＮＯ）。
【０１９１】
なお、発電素子３の目標温度としては、例えば、１０〜３０℃などの範囲から任意の一点（例えば、２０℃）が選択される。
【０１９２】
そして、発電素子３が、予め設定された目標温度まで降温したと判断される場合（ステップＳ１１：ＹＥＳ）には、上記の制御が繰り返される（リターン）。
【０１９３】
具体的には、再度、三方弁４２がＡ状態に制御され、これにより、排気管１７が開放され、回避管４１が閉塞される。すなわち、回避デバイス４０が停止され、エンジン１１から生じた排気ガスが箱型収容ケース５に供給されるように、排気経路が設定される。また、このとき、制御装置１０により、空気供給弁５３は閉塞状態とされ、空気供給デバイス５０による空気の供給は停止される（ステップＳ１）。
【０１９４】
一方、上記の制御において、発電素子３が、予め設定された条件Ａを満たさない場合（ステップＳ３：ＮＯ）には、発電素子３による発電が停止される（ステップＳ１２）。
【０１９５】
発電素子３による発電の停止では、具体的には、制御装置１０により、三方弁４２がＢ状態に切り替えられ、これにより、排気管１７が閉塞され、回避管４１が開放される。すなわち、回避デバイス４０が作動され、エンジン１１から生じた排気ガスが、温度検知素子３５および発電素子３を回避して、回避管４１を介して大気開放されるように、排気経路が設定される。また、このとき、制御装置１０により、空気供給弁５３は開放状態とされ、さらに、空気供給機５２が駆動されて、空気供給デバイス５０が作動される（ステップＳ１３）。
【０１９６】
これにより、排気経路が変更され、エンジン１１から生じた排気ガスは、排気管１７の箱型収容ケース５に到達することなく、発電素子３および温度検知素子３５を回避するように、回避管４１に供給され、大気開放される。
【０１９７】
そして、空気供給デバイス５０が作動されることにより、排気管１７には、排気ガスに代わって空気が供給される。その結果、発電素子３および温度検知素子３５が、排気ガスに比べて低温の空気に曝露可能とされ、冷却可能とされる。
【０１９８】
なお、このとき、電圧印加装置９は作動されない。すなわち、電圧印加装置９は、制御装置１０により停止状態で維持され、発電素子３に対する電圧の印加が停止状態で維持される。
【０１９９】
そして、発電素子３の温度が上記と同様に予測され、発電素子３が、予め設定された目標温度まで降温したか否かが判断される（ステップＳ１１）。
【０２００】
そして、この制御では、発電素子３が目標温度に降温するまで、上記の状態で待機する（ステップＳ１１：ＮＯ）。
【０２０１】
そして、発電素子３が、予め設定された目標温度まで降温したと判断される場合（ステップＳ１１：ＹＥＳ）には、上記の制御が繰り返される（リターン）。
【０２０２】
このように、上記の発電システム１では、温度予測デバイス７により発電素子３の温度が予測され、その温度予測に応じて、回避デバイス４０、空気供給デバイス５０および電圧印加装置９が制御され、発電素子３に対する排気ガスの供給および供給停止、発電素子に対する空気の供給および供給停止が制御される。
【０２０３】
より具体的には、まず、温度予測デバイス７により発電素子３の昇温速度および最高到達温度が予測され、その発電素子３の昇温速度および最高到達温度が、予め設定された所定条件Ａを満たす場合には、制御装置１０が、発電素子３の昇温中に、電圧印加装置９を作動させ、回避デバイス４０および空気供給デバイス５０を停止させる。また、発電素子３の降温中には、電圧印加装置９を停止させ、回避デバイス４０および空気供給デバイス５０を作動させる。
【０２０４】
そのため、上記の発電システム１では、発電効率に優れる場合においてのみ、発電素子３により発電することができ、発電効率の向上を図ることができる。
【０２０５】
また、発電素子３の降温時には、空気供給デバイス５０により発電素子３を冷却することができるため、冷却後、再度、発電素子３が排気ガスに曝露されたときに、昇温速度の向上を図ることができ、さらに、低温状態と高温状態との温度差を大きくすることができる。そのため、上記のように発電素子３を冷却することにより、発電効率の向上を図ることができる。
【０２０６】
一方、上記の発電システム１では、発電素子３の昇温速度および最高到達温度が、予め設定された条件Ａを満たさない場合にも、制御装置１０が、電圧印加装置９を停止させ、回避デバイス４０および空気供給デバイス５０を作動させる。
【０２０７】
また、このように発電素子３を冷却した場合にも、その冷却後、再度、発電素子３が排気ガスに曝露されたときに、昇温速度の向上を図ることができ、さらに、低温状態と高温状態との温度差を大きくすることができる。そのため、上記のように発電素子３を冷却することにより、発電効率の向上を図ることができる。
【０２０８】
また、上記の発電システム１では、空気供給デバイス５０は、温度検知素子３５および発電素子３の上流側に接続されているため（図１参照）、発電素子３の冷却中にも、温度検知素子３５によって、精度よく発電素子３の温度状態を確認することができる。
【０２０９】
そのため、このような発電システム１によれば、発電素子３から効率的にエネルギーを取り出すことができ、発電効率の向上を図ることができる。
【０２１０】
なお、上記した説明では、制御装置１０およびエンジン制御ユニット２８を、それぞれ別々の装置として説明したが、それらを１つの制御部（ＥＣＵなど）として形成することもできる。
【０２１１】
また、上記した説明では、第１電極４および電圧印加電極３７を、それぞれ別々の電極として説明したが、それらを１つの電極として形成することもできる。
【符号の説明】
【０２１２】
１      発電システム
３      発電素子
６      発電デバイス
７      温度予測デバイス
９      電圧印加装置
１０    制御装置
１１    エンジン
１７    排気管
２９    エネルギー回収システム
４０    回避デバイス
５０    空気供給デバイス
【図１】
2018007384.tif 000003
【図２】
2018007384.tif 000004
【図３】
2018007384.tif 000005